(57)【特許請求の範囲】
【請求項１】
眼覆部材と頭部締め付けバンドを備えたアイマスクにおいて、
前記アイマスクは、前記眼覆部材の裏面部に設けられた加温部材収納部と、該加温部材収納部の裏面部に装着される接眼パッドを備えており、
前記接眼パッドは、その接眼部によって眼球部を押圧して角膜を変形矯正する形状を有するとともに、内部に磁性体を有しており、
前記加温部材収納部には、前記接眼パッドを加温するための加温部材を収納することを特徴とするアイマスク。
【請求項２】
前記加温部材収納部は、前記眼覆部材の裏面部に所定の間隔を開けて裏面板を設けることにより構成されており、該裏面板に前記接眼パッドを装着したことを特徴とする請求項１に記載のアイマスク。
【請求項３】
前記接眼パッドに、眼球部に微振動を付与する微振動発生手段を設けたことを特徴とする請求項１又は請求項２に記載のアイマスク。
【請求項４】
前記接眼パッドに、発光体点滅装置を設けたことを特徴とする請求項１、請求項２又は請求項３に記載のアイマスク。
【発明の詳細な説明】
【０００１】
【発明の属する技術分野】
本発明は、眼精疲労回復や眼機能回復に優れ、軽度の近視、遠視、乱視等の視力矯正機能を有するとともに、催眠効果も有するアイマスクに関するものである。
【０００２】
【従来の技術】
眼精疲労回復を目的とした各種商品が市販されている。たとえば、眼帯状の加温パッドや冷熱パッド等が知られているが、これらの効果は時間が短時間で一時的なものである。また、電気又は電子式の加温装置により眼球部を加温する器具では、構成が複雑で価格が高いことや取り扱いが面倒である等の問題がある。
【０００３】
【発明が解決しようとする課題】
本発明の解決しようとする課題は、眼球の視力矯正治療を可能とし、眼精疲労回復効果、眼機能回復効果、催眠効果等に優れ、さらには各種眼病治療にも有効なアイマスクを提供することである。
【０００４】
また本発明は、睡眠時間等を利用して長時間の処置治療を可能とし、眼精疲労、眼球機能等を根本的に回復または修復することができるアイマスクを提供することである。
【０００５】
さらに本発明は、構成が簡単で安価に量産することができ、取り扱いも簡単なアイマスクを提供することである。
【０００６】
【課題を解決するための手段】
上述した課題を解決するために採用した本発明の手段は、
眼覆部材と頭部締め付けバンドを備えたアイマスクにおいて、
前記アイマスクは、前記眼覆部材の裏面部に設けられた加温部材収納部と、該加温部材収納部の裏面部に装着される接眼パッドを備えており、
前記接眼パッドは、その接眼部によって眼球部を押圧して角膜を変形矯正する形状を有するとともに、内部に磁性体を有しており、
前記加温部材収納部には、前記接眼パッドを加温するための加温部材を収納することを特徴とする。
【０００７】
本発明の代表的な実施態様によれば、前記加温部材収納部は、前記眼覆部材の裏面部に所定の間隔を開けて裏面板を設けることにより構成されており、該裏面板に前記接眼パッドを装着したことを特徴とする。また、前記接眼パッドに、眼球部に微振動を付与する微振動発生手段を設けたことを特徴とする。さらに、前記接眼パッドに、発光体点滅装置を設けたことを特徴とする。
【０００８】
前記眼覆部材とは、眼球部を覆うことができるものであれば形状、素材等は任意であり、たとえばゴーグル形状、眼鏡形状、眼帯形状、眼用粘着シート形状等が含まれる。なお、眼球部とは、眼球部分とその周辺部を含んでいる。
【０００９】
また前記磁性体とは、特に限定されるものではないが、フェライト永久磁石、希土類永久磁石、超伝導物質のニホウ化マグネシウム永久磁石等であり、これらを丸状、棒状、板状、リング状、線状、粒状等の様々な形状に加工して前記接眼パッド等に挿入する。磁性体の磁力は、目的により好ましい磁力を選定することができ、たとえば数ｍＴ〜１８０ｍＴである。
【００１０】
上述した磁性体の磁気作用によって肩、首筋、背中、腰部、脚部等、人体の各部位の凝り、筋肉疲労等の軽減を図る磁気治療器具は従来から知られているが、本発明者は、磁性体の磁気作用が眼精疲労回復、眼機能回復、各種眼病治療等にきわめて有効であることを知得した。特に、眼球部に長期間、所定強度の磁気を与えることにより、近視、遠視、乱視等が自然に治癒又は改善され、さらには角膜症、白内障、緑内障、眼筋麻痺、網膜症等の眼病治療にも有効であることを知得した。
【００１１】
その生体メカニズムは定かでないが、眼球部を構成する水晶体や、その水晶体の膨らみを調節する毛様体（毛様小帯）、角膜等の各部位が、細胞レベルで磁気的影響を受け、各部位本来の生体機能が回復するものと思われる。これと同時に、眼細胞に連なる神経繊維の機能回復、眼球周辺の毛細血管の拡張による血流の増大効果、筋肉と神経繊維の緊張緩和と弛緩、細胞の活性化等により、眼精疲労が回復し、眼機能が向上する。
【００１２】
前記眼覆部材の裏面部には加温部材収納部が設けられており、その内部に、眼球及び眼球周辺部を暖めるための加温部材が収納されている。加温部材としては、たとえば３８℃〜４２℃程度の温度で自家発熱する粉末状の発熱体や、小型の遠赤外線発熱発生装置、さらにはモジュール合金による電位差によって発熱または冷却する機能を利用し、加温,冷却する装置等であり、眼球部を加温することにより、前記磁性体による磁気力の効果と相俟ってさらに優れた効果を得ることができる。
【００１３】
すなわち、眼球部を加温することによりドライアイの最大原因である瞼にあるマイホーム線の詰まりが解消して涙の層が回復し、涙が正常に分泌する。また、体細胞筋肉、神経骨髄の緊張が弛み、血行気血の流れが改善され、血液循環がよくなる。さらに、前記磁気力効果と相乗して、眼球部に蓄積した老廃物、うっ血、コレステロール、乳酸、ＣＯ2、活性酸素等の疲労物質が消滅し、体細胞筋肉、神経骨髄等のコリ充血がなくなり、細胞組織が潤沢に活性化する。
【００１４】
また、血液は酸性からアルカリ性に変わり、新陳代謝が旺盛となり、自然治癒力が回復向上し、必然的に視力が正常化する。さらに、加温部材による温熱効果は、近視、遠視、乱視の角膜を暖めることにより、緊張が弛み、細胞が膨張し、軟化する。この状態で、前記接眼パッドを眼瞼の上から、または眼瞼の周辺部から押さえつけ、眼球部を所定時間、所定圧力で押圧することにより、軟化した角膜が、その接眼パッドの接眼部の形状に沿って変形される。これにより、特に軽度の近視、遠視、乱視等が矯正され、視力が回復することになる。
【００１５】
前記接眼パッドは、眼球部と長時間接触することを考慮してスポンジや軟質プラスチック等の弾性体で構成されているが、比較的硬質のプラスチックやコルクあるいは磁性を帯びた金属等の素材で構成してもよい。また接眼パッドの接眼部は凹形状に形成されているが、矯正目的に応じて、凹面の曲率を変えたり、接眼部を凸形状、平面形状等にした複数種の接眼パッドを用意しておくことができる。なお、視力の矯正治療を目的としない場合は、接眼パッドを無理に眼球部に押圧する必要はなく、アイマスクの締め付けバンドを緩めるなどして、眼瞼に軽く触れるようにすればよい。
【００１６】
前記接眼パッドには、バイブレータ等の微振動発生手段を設けることができる。この微振動発生手段により眼球部に微振動を与えることによって、眼球及びその周辺部の細胞組織、神経、血流等に刺激を与え、上述した磁気効果、加温効果、角膜矯正効果がさらに増大することになる。
【００１７】
また、前記接眼パッドには、必要に応じて発光体点滅装置を設けることができる。発光体とは、たとえば豆電球や発光ダイオード等であり、これら発光体の照度、点滅スピード等を最適に調整し、発光体を一定間隔で点滅することにより、催眠効果と精紳安定効果を誘発することができる。また眼球、網膜神経等に適度の光による刺激を与え、眼機能等を改善することができる。
【００１８】
前記発光体は、たとえば４原色（赤、青、黄色、緑）に着色し、または着色フィルタを配置することにより、配色の変化を調整することができる。これにより、眼識力の改善強化、色弱、色盲の治療改善を図ることができる。
【００１９】
前記眼覆部材には、前記加温部材収納部に必要により冷熱体を収納し、眼球部を所定温度で冷やすことにより、眼球部及びその周辺部の筋肉の緊張をほぐし、充血、ノボセ防止、血圧低下を図ることができる。冷熱体は市販の使い捨て冷熱シート（パッド）、またはこれを本発明用に改良したものでよい。
【００２０】
前記眼覆部材には、不眠症や精神的ストレス等の解消を目的として、催眠効果または精神安定効果のある芳香材を設けてもよく、さらには防遮音用の耳栓、携帯用の音楽再生装置、ラジオ等をたとえばオプションとして設けるようにしてもよい。
【００２１】
【発明の実施の形態】
以下、本発明の実施形態を添付図面に基づいて説明する。図１乃至図４は、本発明の第１の実施形態を示しており、図１に示すようにアイマスク１０は眼覆部材１１と締め付けバンド１２を備えている。ここでは、眼覆部材１１の前面板１４は遮光板となっている。
【００２２】
前記前面板１４の周端部には縁枠１６が設けられるとともに、該前面板１４の裏面側の端縁部には、図２乃至図４に示すようにクッション１５が装着されている。クッション１５は、ここでは綿、スポンジ等を布製袋に収納した構成となっている。
【００２３】
また、前面板１４の裏面部には、図３及び図４に示すように所定の間隔を開けて裏面板１８が固定されており、これにより加温部材収納部１９が構成されている。さらに、前面板１４と裏面板１８の中央上端部には、一組の止着部材１７，１７ａが設けられており、一方の止着部材１７に有する球状突起を、他方の係止部材１７ａに有する小孔に係入させることにより、加温部材収納部１９に挿入した後述の加温部材２１が抜け出ないようになっている。
【００２４】
前記裏面板１８には、左右の接眼パッド２０，２０が装着されている。接眼パッド２０，２０は、ここでは所定厚さのスポンジ等の弾性体を布製袋に収納したものであり、接眼パッド内部の眼球及びその周辺に対応する部分には複数の磁性体１３が埋め込まれている。この接眼パッド２０，２０は、接着等により裏面板１８に固定してもよいが、簡易着脱テープ等により、ユーザの治療矯正に適した位置に任意に装着できるようにすることもできる。
【００２５】
前記接眼パッド２０，２０の接眼部２０ａ，２０ａの形状は、ここでは緩やかに湾曲した凹形状となっているが、その曲率や接眼部２０ａ，２０ａの形状は、視力の矯正治療目的に応じて任意に変更することができる。
【００２６】
前記加温部材２１は、図５及び図６に示すように、全体が眼鏡形状をしており、耐熱性包袋フィルム２２の左右に発熱体２３が封入された構成となっている。この包袋フィルム２２は発熱体２３の封入部を除いた部分がシールされている。
【００２７】
前記発熱体２３は、鉄粉、活性炭、木粉、食塩、水分、バーキュライト等の成分からなり、包装フィルム２２の上から手で揉んでこれら成分を混合すると、酸化反応により所定温度で自己発熱する。この加温部材２１は４０℃〜７０℃程度の低温で発熱し、接眼パッド２０，２０を介して眼球及びその周辺部を暖めることができる。なお、磁性体１３だけの治療を目的とするときは、加温部材２１を加温部材収納部１９から取り外してもよい。
【００２８】
上述したアイマスク１０を使用するときは、加温部材２１を収納部１９に収納し、止着部材１７、１７aで止着した後、両接眼パッド２０、２０を両眼瞼に当てるようにして眼覆部材１１を両眼球部に被せ、締め付けバンド１２で頭に適度の圧力で固定する。これにより、接眼パッド２０、２０の接眼部２０ａ，２０は適度の圧力で眼球部の特に角膜を押圧するとともに、内部の磁性体１３の磁気が眼球とその周辺部に作用し、同時に加温部材２１により所定温度で暖められることになる。
【００２９】
図７乃至図１０は、本発明の第２の実施形態を示したものであり、上述した図１乃至図４の眼覆部材１１に、微振動発生装置と光点滅装置を設けた例である。すなわち、前記接眼パッド２０の内部中心部にバイブレータ３０が設けられ、その周囲に複数の発光体３１が設けられている。発光体３１は、ここでは豆電球である。また、前面板１４の中央部には、コントローラボックス３２が設けられている。
【００３０】
前記コントローラーボックス３２は、上部に電源スイッチ３４が設けられており、前面部には発光体３１の照度増減調節ダイヤル３５、同照度点滅スピード調節ダイヤル３５ａ、バイブレータ強弱調節ダイヤル３６、発光体タイマ３７及びバイブレータタイマ３８が設けられている。なお、コントローラボックス３２の内部には図１０に示すようにバッテリ３３が内蔵されている。
【００３１】
上述したアイマスク１０によるときは、バイブレータ３０により眼球部に微振動を付与することができる。この場合、微振動の最適な強さと時間は、バイブレータ強弱調節ダイヤル３６とバイブレータタイマ３８で調節する。またバイブレータ３０と同時に、またはこれとは別に発光体３１により眼球部に所定の照度、点滅スピード、時間を選択して光りを照射することができる。これらはコントローラボックス３２の照度増減調節ダイヤル３５、同照度点滅スピード調節ダイヤル３５ａ、発光体タイマ３７により調整される。
【００３２】
前記眼覆部材１１の鼻孔近くには、さらに催眠効果や精紳安定効果がある発香部材を必要により設けることができる。発香部材としては、たとえば灸に使用するモグサ等の発香原料を所定の容器（たとえば小型の携帯カイロ）に入れ、これを発火発煙させ、その香煙を吸うようにしたり、モグサの臭いを液状（香水液）にしてあらかじめ容器に詰めておき、眼覆部材１１の鼻孔近くに設けた発香容器にその香水液を適量注入して蒸発発香させる方法などがある。
【００３３】
さらに、前記加温部材収納部１９には、必要により加温部材２１に代えて公知の冷熱パッド等の携帯式冷却部材を収納し、眼球またはその周辺部を冷やすようにしてもよい。また、眼覆部材１１の両耳近くに小型のスピーカ、またはイヤホーン等を設けておき、携帯式音楽再生装置や携帯式ラジオ等と接続し、催眠用、不眠症解消を目的とした各種ヒーリング、音楽等を流すようにしてもよい。
【００３４】
一方、催眠効果を高めるためるためには、頭部を冷却することが有効であり（頭寒足熱）、このため、前記眼覆部材１１と併用して、冷却部材をヘアーバンドまたはキャップに装着し、頭部を冷やすようにしてもよい。冷却部材は公知の冷却部材でもよいが、吸水したときに優れたクールダウン機能を発揮する特殊高分子ポリマークリスタルの冷却部材（商品名：クールバンダナ）を使用すれば、長時間（たとえば３０時間以上）保冷力を保持することができる。この冷却部材は気化熱の応用による冷却作用であるため、自然な冷却効果が得られ、冷やし過ぎることはない。
【００３５】
以上の実施形態は本発明の一例を示したものであり、図示したバイブレータ３０、発光体球３１、加温部材２１等の構成は本発明を説明するために便宜的に示したものであって、本発明の趣旨に従って任意に変更することができる。
【００３６】
【発明の効果】
以上説明した本発明によれば、接眼パッドにより眼球部を押圧することにより、加温部材の加温により軟化した角膜が接眼パッドの形状に沿って変形され、これにより近視、遠視、乱視等の視力矯正治療を効果的に行うことができる。また、磁性体の磁気作用と加温部材の加温効果により、眼球やその周辺部に蓄積した疲労回復が図られ、また眼機能回復、各種眼病治療等の効果が期待できる。
【００３７】
また本発明によれば、催眠効果や精神安定効果が期待でき、睡眠時間等を利用して長時間の処置治療を可能とし、さらには、眼精疲労、眼球機能等を根本的に回復または修復することができる。
【００３８】
さらに本発明によれば、構成が比較的簡単で安価に量産することができ、取り扱いも簡単である等の効果が得られる。
【図面の簡単な説明】
【図１】  本発明の第１の実施形態を示すアイマスクの全体斜視図である。
【図２】  本発明の第１の実施形態を示すアイマスクの正面図である。
【図３】  本発明の第１の実施形態を示すアイマスクのａ−ａ断面図である。
【図４】  本発明の第１の実施形態を示すアイマスクのｂ−ｂ断面図である。
【図５】  本発明のアイマスクに装着される加温部材の正面図である。
【図６】  本発明のアイマスクに装着される加温部材のａ−ａ断面図である。
【図７】  本発明の第２の実施形態を示すアイマスクの正面図である。
【図８】  本発明の第２の実施形態を示すアイマスクのａ−ａ断面図である。
【図９】  本発明の第２の実施形態を示すアイマスクのｂ−ｂ断面図である。
【図１０】  本発明の第２の実施形態を示すアイマスクのｃ−ｃ断面図である。
【符号の説明】
１０はアイマスク
１１は眼覆部材
１２は締付バンド
１３は磁性体
１４は前面板
１５はクッション
１６は縁枠
１７、１７ａは止着部材
１８は裏面板
１９は加温部材収納部
２０は接眼パッド
２０ａは接眼部
２１は加温部材
２２は包装フィルム
２３は発熱体
３０はバイブレータ
３１は発光体
３２はコントローラボックス
３３はバッテリ
３４は電源スイッチ
３５は照度増減調整ダイヤル
３５ａは照度点滅スピード調整ダイヤル
３６はバイブレータ強弱調整ダイヤル
３７は発光体タイマ
３８はバイブレータタイマ
【図１】
0003667268.tif 000002
【図２】
0003667268.tif 000003
【図３】
0003667268.tif 000004
【図４】
0003667268.tif 000005
【図５】
0003667268.tif 000006
【図６】
0003667268.tif 000007
【図７】
0003667268.tif 000008
【図８】
0003667268.tif 000009
【図９】
0003667268.tif 000010
【図１０】
0003667268.tif 000011